(57)【要約】      （修正有）【課題】チャンネルスキャンの効率化を図り、チャンネルスキャンの実行にかかる時間を短縮させたデジタル放送受信機を提供する。【解決手段】制御部は、ディジタルテレビジョンの設置位置を示す位置情報の入力を要求するメッセージを表示部でＯＳＤ表示する。ユーザは、このＯＳＤを見て、地域５１Ｂの位置情報をリモコンから入力する。制御部は、リモコンで入力された地域５１Ｂの設置位置を含む地域のセルＩＤを、チューナで受信されたセルリスト記述子から発見できるかどうか判定する。セルＩＤをセルリスト記述子から発見できたと判定すると、制御部は、発見したセルＩＤと同じセルＩＤのセル周波数をセル周波数リンク記述子から調査する。そして、制御部は、調査したセル周波数に基づいて、チャンネルをチャンネル選択キーに割振る。【選択図】図４
2009147804.tif 000002
【特許請求の範囲】
【請求項１】
複数のキーを有し、少なくとも１つのキーが操作されることにより、テレビ放送の各割り当て周波数帯域に付けた番号であるチャンネルの選択を受付ける選択手段と、
前記選択手段で選択されたチャンネルの周波数帯域で放送されるテレビ番組のテレビ放送信号を受信する受信手段と、を備えたデジタル放送受信機において、
装置本体の設置位置を示す位置情報の入力を受付ける位置入力手段と、
複数の地域のそれぞれと、各地域でテレビ放送用に使用される周波数と、が対応付けられた周波数情報であって前記受信手段で受信される周波数情報から、前記位置入力手段で入力される設置位置を含む地域に対応する周波数を調査するチャンネル割振手段と、を備え、
前記チャンネル割振手段は、調査した周波数に基づいて、受信可能なチャンネルを前記選択手段の複数のキーに割振るデジタル放送受信機。
【請求項２】
前記周波数情報は、
複数の地域のそれぞれと、各地域の基地局を特定する基地局ＩＤと、が対応付けられた基地局リストと、
複数の基地局ＩＤと、各基地局でテレビ放送用に使用される周波数と、が対応付けられた周波数リストと、からなり、
前記チャンネル割振手段は、前記位置入力手段で入力される設置位置を含む地域に対応する基地局ＩＤを前記基地局リストから検索し、検索した該基地局ＩＤに対応する周波数を前記周波数リストから調査する請求項１に記載のデジタル放送受信機。
【請求項３】
前記位置入力手段で入力される設置位置を含む地域に対応する基地局ＩＤを記憶する記憶手段を備え、
前記チャンネル割振手段は、
前記記憶手段に記憶されている基地局ＩＤに対応する周波数に変更があるかどうか、前記受信手段で受信される最新の周波数リストを監視し、
周波数リストの周波数に変更があった時、最新の周波数に基づいて、前記選択手段の複数のキーに対するチャンネルの割振りを修正する請求項２に記載のデジタル放送受信機。
【請求項４】
前記受信手段で受信されたテレビ放送信号を処理し、テレビ番組の画像を表示する表示手段と、
前記受信手段で受信されたテレビ放送信号を処理し、音声を出力するスピーカーと、を備える請求項１から３のいずれかに記載のデジタル放送受信機。
【発明の詳細な説明】
【技術分野】
【０００１】
本発明は、チャンネルスキャン機能を有するデジタル放送受信機に関するものである。
【背景技術】
【０００２】
デジタルテレビジョン放送におけるチャンネルスキャンとは、ある周波数からある周波数までテレビ放送信号があるか否かサーチし、受信可能な周波数（チャンネル）を調べることである。
また、テレビ放送用のチャンネルとは、テレビ放送の各割り当て周波数帯域に付けた番号のことである。この周波数帯域の割当ては地域（基地局単位）毎に異なっており、地域毎に受信できるチャンネルの数も異なっている。そのため、地上デジタルテレビジョン放送におけるチャンネルスキャンについての電波産業会の運用規定（ＡＲＩＢＴＲ−Ｂ１４）では、デジタル放送受信機の設置時に、その設置地点における全受信可能チャンネルをサーチするように定められている。
なお、特許文献１では、チャンネルスキャン装置が提案されている。
【特許文献１】特開２００６−１０１３０４公報
【発明の開示】
【発明が解決しようとする課題】
【０００３】
しかしながら、サーチ対象となる周波数が広範囲になるにつれて、チャンネルスキャンの実行にかかる時間も長時間になる。よって、その間、チャンネルスキャンの作業者が待たされることになる。従って、従来のデジタル放送受信機では、チャンネルスキャンの効率の悪さが問題となっていた。
【０００４】
本発明はこのような従来の課題を解決しようとするものであり、チャンネルスキャンの効率化を図り、チャンネルスキャンの実行にかかる時間を短縮させたデジタル放送受信機を提供することを目的とする。
【課題を解決するための手段】
【０００５】
本発明のデジタル放送受信機は、前記課題を解決するために以下の構成を備えている。
【０００６】
（１）複数のキーを有し、少なくとも１つのキーが操作されることにより、テレビ放送の各割り当て周波数帯域に付けた番号であるチャンネルの選択を受付ける選択手段と、
前記選択手段で選択されたチャンネルの周波数帯域で放送されるテレビ番組のテレビ放送信号を受信する受信手段と、を備えたデジタル放送受信機において、
装置本体の設置位置を示す位置情報の入力を受付ける位置入力手段と、
複数の地域のそれぞれと、各地域でテレビ放送用に使用される周波数と、が対応付けられた周波数情報であって前記受信手段で受信される周波数情報から、前記位置入力手段で入力される設置位置を含む地域に対応する周波数を調査するチャンネル割振手段と、を備え、
前記チャンネル割振手段は、調査した周波数に基づいて、受信可能なチャンネルを前記選択手段の複数のキーに割振る。
【０００７】
この構成では、ユーザがデジタル放送受信機を購入して、ユーザを含む設置作業者が初めてユーザの家に設置する場面を想定している。また、テレビ放送の放送形態は、例えば衛星放送、ケーブルテレビ放送、又は地上波デジタル放送である。また、位置情報は、例えば装置本体の設置位置の住所である。また、周波数情報は、テレビ放送信号に含まれるＰＳＩ／ＳＩデータ中の情報である。
この構成において、設置作業者が、初期設定として位置情報を位置入力手段で入力する。受信手段が周波数情報を受信すると、チャンネル割振手段が装置本体の設置位置を含む地域に対応する周波数をその周波数情報から調査する。そして、チャンネル割振手段は、調査した周波数に基づいて、受信可能なチャンネルを選択手段の複数のキーに割振る。これにより、ユーザは、少なくとも１つのキーを操作することで、所望のチャンネル（例えば１３ＣＨ）を選択手段で選択できる。
以上のように、デジタル放送受信機では、周波数情報から位置情報に対応する周波数を調査するので、全受信可能チャンネルを総当りでサーチしなくとも済む。従って、デジタル放送受信機では、チャンネルスキャンの実行にかかる時間を短縮させることができる。
【０００８】
（２）前記周波数情報は、
複数の地域のそれぞれと、各地域の基地局を特定する基地局ＩＤと、が対応付けられた基地局リストと、
複数の基地局ＩＤと、各基地局でテレビ放送用に使用される周波数と、が対応付けられた周波数リストと、からなり、
前記チャンネル割振手段は、前記位置入力手段で入力される設置位置を含む地域に対応する基地局ＩＤを前記基地局リストから検索し、検索した該基地局ＩＤに対応する周波数を前記周波数リストから調査する。
【０００９】
この構成において、デジタル放送受信機では、基地局リスト及び周波数リストから位置情報に対応する周波数を調査するので、全受信可能チャンネルを総当りでサーチしなくとも済む。従って、デジタル放送受信機では、チャンネルスキャンの実行にかかる時間を短縮させることができる。
【００１０】
（３）前記位置入力手段で入力される設置位置を含む地域に対応する基地局ＩＤを記憶する記憶手段を備え、
前記チャンネル割振手段は、
前記記憶手段に記憶されている基地局ＩＤに対応する周波数に変更があるかどうか、前記受信手段で受信される最新の周波数リストを監視し、
周波数リストの周波数に変更があった時、最新の周波数に基づいて、前記選択手段の複数のキーに対するチャンネルの割振りを修正する。
【００１１】
この構成は、上記（１）の初期設定が完了した後に周波数リストの更新がなされた場合に対応するための構成である。
この構成では、チャンネル割振手段は、上記（１）の初期設定が完了した後、周波数リストを監視する。そして、周波数リストが更新された時、チャンネル割振手段は、選択手段の複数のキーに対するチャンネルの割振りを修正する。
以上より、デジタル放送受信機では、セル周波数が変更された場合にも即対応可能である。さらに、その対応時においても全受信可能チャンネルを総当りでサーチしなくとも済むので、チャンネルスキャンの実行にかかる時間を短縮させることができる。
【００１２】
（４）前記受信手段で受信されたテレビ放送信号を処理し、テレビ番組の画像を表示する表示手段と、
前記受信手段で受信されたテレビ放送信号を処理し、音声を出力するスピーカーと、を備える。
【発明の効果】
【００１３】
この発明によれば、チャンネルスキャンの実行にかかる時間を短縮させることができる。
【発明を実施するための最良の形態】
【００１４】
以下、本発明の実施形態であるディジタルテレビジョンについて説明する。
【００１５】
図１は、本発明の実施形態であるディジタルテレビジョンの主要な構成を示すブロック図である。ディジタルテレビジョン（以下、TVと称する）１０１は、装置の各部の動作を制御する制御部２と、選択されたチャンネル（以下、CHと称する）のディジタル放送波を受信するチューナ３と、受信したディジタル放送波をディジタルデータに復調する復調部４と、復調したディジタルデータから画像データと音声データとを分離し、両データを伸長するデコーダ５と、所望のＯＳＤ（On  Screen  Display）と画像データに基づく画像とを合成する画像合成部６と、画像データの信号と音声データの信号とをアナログの信号にそれぞれ変換するD／A変換部８と、ユーザの操作を受付ける操作部１１と、ＰＳＩ／ＳＩデータを記憶する制御データメモリ１４と、制御プログラムを記憶するＲＯＭ１５と、画像を表示する表示部９と、音声を装置外部に発生するスピーカ１０と、を備える。
【００１６】
ここで、放送局は、番組の他に、各チャンネルで放送されているテレビ番組の属性（番組名、出演者等）を示すＰＳＩ／ＳＩデータを送信している。ＰＳＩ／ＳＩデータには、後述のトランスポートストリームに関するストリーム構成情報、放送局に関する放送局情報、番組配列情報などが含まれる。ＰＳＩ／ＳＩデータには、各チャンネルで放送されているテレビ番組を特定する番組特定情報が記述されているＥＰＧ（電子番組表情報）も含まれる。
【００１７】
ＲＯＭ１５は、装置本体各部の制御方法が記述された制御プログラムを予め記憶する。
制御部２は、例えばマイクロコンピュータで構成される。制御部２は、上記制御プログラムにより処理されるデータ等を展開するためのワークフィールドとしてのRAM（不図示）と、現在時刻を計時する計時部（不図示）と、を内蔵する。
【００１８】
操作部１１には、EPGの表示、電源のON／OFF、チャンネルの選択、音量の調整等の命令（コマンド）を入力するための複数のキーが設けられている。操作部１１は入力された命令を制御部２に伝送する。
上記複数のキーには、例えば所望の番組のチャンネルを選択するチャンネル選択キーと、チャンネルスキャンの実行を受付けるチャンネルスキャンキーと、装置本体の設置位置を示す位置情報の入力を受付ける位置入力キーと、が挙げられる。ここで、チャンネルスキャンキー及び位置入力キーの詳細については、後述する。
また、リモコン２００には、操作部１１と同じキーが設けられている。リモコン２００で入力される命令は、操作部１１に設けられた受光部１１Ａで受信される。そして、操作部１１は該命令を制御部２に伝送する。
【００１９】
チューナ３は、アンテナ３０で受信しているディジタル放送波から、制御部２の指示に基づいて、選択されているチャンネルの周波数帯域で放送されるテレビ番組のディジタル放送波を受信する。そして、チューナ３は、そのディジタル放送波を復調部４に出力する。
復調部４は、チューナ３から出力されたディジタル放送波をディジタルデータであるトランスポートストリームに復調し、出力する。
【００２０】
デコーダ５は、復調部４から出力されたトランスポートストリームから、画像データと音声データとＰＳＩ／ＳＩデータとを分離抽出する。ここで、分離抽出された画像データは、例えばMPEGでエンコードされている。そして、デコーダ５は、画像データをデコードする。最後に、デコーダ５は、画像データを画像合成部６を介してD／A変換部８に出力する。また、デコーダ５は、音声データをデコードし、D／A変換部８に出力する。
画像合成部６は、不図示の画像メモリを内蔵する。画像合成部６は、制御部２の指示に基づいて、画像データに基づく画像と、画像メモリが記憶している文字又は図形と、を合成する。画像合成部６は、その合成された画像データをD／A変換部８に出力する。
【００２１】
D／A変換部８は、デコーダ５が出力した画像データの信号をアナログの再生画像信号に変換し、表示部９に出力する。また、D／A変換部８は、デコーダ５が出力した音声データの信号をアナログの再生音声信号に変換し、スピーカ１０に出力する。
表示部９は、例えばLCD（Liquid Crystal Display）である。
ユーザは、表示部９およびスピーカ１０において、D／A変換部８から出力された再生画像信号に基づく画像と再生音声信号に基づく音声とを視聴する。
【００２２】
ここで、チューナ３、復調部４及びデコーダ５が、本発明の「受信手段」に相当する。また、表示部９が、本発明の「表示手段」に相当する。また、制御部２が、本発明の「チャンネル割振手段」に相当する。また、制御データメモリ１４が、本発明「記憶手段」に相当する。また、リモコン２００及び操作部１１が、本発明「位置入力手段」に相当する。また、リモコン２００及び操作部１１のチャンネル選択キーが、本発明「選択手段」に相当する。
【００２３】
一方、デコーダ５は、上記で分離したＰＳＩ／ＳＩデータを制御部２に出力する。
制御部２は、デコーダ５から出力されたＰＳＩ／ＳＩデータを制御データメモリ１４に記録する。制御データメモリ１４は、例えばEEPROMで構成される。
このＰＳＩ／ＳＩデータには、上記のようにＥＰＧの情報が含まれている。ＥＰＧの表示がリモコン２００で指示されると、制御部２は、画像合成部６を用いてＥＰＧを表示部９に表示する。
また、このＰＳＩ／ＳＩデータには、複数の地域のそれぞれと、各地域でテレビ放送用に使用される周波数と、が対応付けられた周波数情報が含まれる。この周波数情報は、図２に示すセルリスト記述子２４Ａと、図３に示すセル周波数リンク記述子２４Ｂと、からなる情報である。
【００２４】
図２は、セルリスト記述子２４Ａに記述されている情報を示す図である。図３は、セル周波数リンク記述子２４Ｂに記述されている情報を示す図である。図２に示すセルリスト記述子２４Ａは、複数の地域のそれぞれと、各地域の基地局を特定するセルＩＤと、が対応付けられた表である。各地域は、セルＩＤの下に続く、緯度の範囲を示す情報と経度の範囲を示す情報とで特定される。また、図３に示すセル周波数リンク記述子２４Ｂは、複数のセルＩＤと、各基地局でテレビ放送用に使用される周波数と、が対応付けられた表である。この周波数の情報には、例えば中心周波数又は周波数帯域が記述されている。この実施形態では、中心周波数が記述されているものとする。また、この周波数の情報は、放送局の変更等の理由により、変更されることがある。
なお、基地局を中心とする地域のことは、セルとも呼ばれる。
【００２５】
図４は、ディジタルテレビジョン１０１の設置位置と各地域の基地局との関係の一例を示す図である。図４では、４つの長方形の地域５１Ａ〜５１Ｄと、各地域に設けられた基地局５０Ａ〜５０Ｄと、が示されおり、ディジタルテレビジョン１０１は、地域５１Ｂにある家１００の中に設置されている。例えば、地域５１Ａは北海道であり、地域５１Ｂは青森であり、地域５１Ｃは東京であり、地域５１Ｄは大阪である。
【００２６】
ここで、テレビ放送用のチャンネルは、テレビ放送の各割り当て周波数帯域に付けた番号のことである。この周波数帯域の割当ては地域５１Ａ〜５１Ｄ（基地局５０Ａ〜５０Ｄ）毎に異なっており、地域５１Ａ〜５１Ｄ毎に受信できるチャンネル（ＣＨ）の数も異なっている。例えば、基地局５０Ａがテレビ放送用に使用する周波数、即ち地域５１Ａで受信できるチャンネルは、１９ＣＨ（中心周波数５０９ＭＨｚ）、１３ＣＨ（同４７３ＭＨｚ）、１５ＣＨ（同４８５ＭＨｚ）、２１ＣＨ（同５２１ＭＨｚ）、２３ＣＨ（同５３３ＭＨｚ）、１４ＣＨ（同４７９ＭＨｚ）、及び２５ＣＨ（同５４５ＭＨｚ）である。また、基地局５０Ｂがテレビ放送用に使用する周波数、即ち地域５１Ｂで受信できるチャンネルは、２８ＣＨ（同５６３ＭＨｚ）、１３ＣＨ（同４７３ＭＨｚ）、１６ＣＨ（同４９１ＭＨｚ）、３２ＣＨ（同５８７ＭＨｚ）、及び３０ＣＨ（同５７５ＭＨｚ）である。
なお、中心周波数４７３ＭＨｚの１３ＣＨ場合、周波数帯域は、４７０ＭＨｚから４７６ＭＨｚまでとなる。
【００２７】
図５は、本発明の実施形態であるディジタルテレビジョンの制御部が初期設定時に行うフローチャートである。この動作は、ユーザがディジタルテレビジョン１０１を購入して、ユーザを含む設置作業者が初めて家１００に設置する場面を想定している。設置作業者は、この場面においてチャンネルスキャンキーを押下する。
【００２８】
チャンネルスキャンキーが押下されると、制御部２は、ディジタルテレビジョン１０１の設置位置を示す位置情報の入力を要求するメッセージをＯＳＤで表示部９に表示する（Ｓ１）。このメッセージは、例えば「ここの住所を入力してください」「ここの地域名を選択してください」である。ユーザは、このＯＳＤを見て、図４に示す地域５１Ｂの位置情報を位置入力キーで入力する。これにより、制御部２は、ＴＶ１０１の設置位置の緯度・経度を認識する。
【００２９】
次に、制御部２は、制御データメモリ１４に記憶されているＰＳＩ／ＳＩデータからセルリスト記述子２４Ａを抽出する（Ｓ２）。
なお、ケーブルテレビ放送の場合、ＰＳＩ／ＳＩデータは、画像データ及び音声データと別の帯域でＴＶ１０１に送信されてくる。また、地上波デジタル放送の場合、ＰＳＩ／ＳＩデータは、画像データ及び音声データと同じ帯域でＴＶ１０１に送信されてくる。地上波デジタル放送の場合、設置作業者が初めて家１００に設置する時のために、ＣＨがチャンネル選択キーにデフォルトで予め割振られている。設置作業者は、表示部９に表示されるチャンネルに設定し、ＰＳＩ／ＳＩデータをＴＶ１０１に取得させる。
【００３０】
そして、制御部２は、位置入力キーで入力された設置位置を含む地域のセルＩＤをセルリスト記述子２４Ａから発見できるかどうか判定する（Ｓ３）。この判定は、設置位置を含む地域のセルＩＤを、リスト記述子２４Ａから検索することにより行われる。図４に示す地域５１Ｂであれば、セルＩＤ「０×００９２」が発見される。
【００３１】
セルＩＤをセルリスト記述子２４Ａから発見できないと判定すると、制御部２は、従来例と同様に、全受信可能チャンネルを総当りでサーチする（Ｓ４）。そして、制御部２は、全チャンネルの内のヒットしたチャンネルをチャンネル選択キーに割振り（Ｓ５）、本処理を終了する。
【００３２】
一方、Ｓ３においてセルＩＤをセルリスト記述子２４Ａから発見できたと判定すると、制御部２は、発見したセルＩＤと同じセルＩＤのセル周波数をセル周波数リンク記述子２４Ｂから調査する（Ｓ６）。
【００３３】
そして、制御部２は、調査したセル周波数に基づいて、チャンネルをチャンネル選択キーに割振る（Ｓ７）。例えば、発見したセルＩＤと同じセルＩＤのセル周波数が、５６３ＭＨｚ、４７３ＭＨｚ、４９１ＭＨｚ、５８７ＭＨｚ、及び５７５ＭＨｚであれば、制御部２は、２８ＣＨ、１３ＣＨ、１６ＣＨ、３２ＣＨ及び３０ＣＨをチャンネル選択キーに割振る。これにより、ユーザは、いずれか１つのチャンネル選択キーを操作することで、所望のチャンネル（例えば１３ＣＨ）を選択できる。
なお、２８ＣＨ、１３ＣＨ、１６ＣＨ、３２ＣＨ及び３０ＣＨは、上記のように、それぞれの中心周波数に対応するＣＨである。
【００３４】
最後に、制御部２は、発見したセルＩＤを制御データメモリ１４に保存し（Ｓ８）、本処理を終了する。制御データメモリ１４に保存したセルＩＤは、後述の図６で使用される。
【００３５】
以上のように、ＴＶ１０１では、セルリスト記述子２４Ａ及びセル周波数リンク記述子２４Ｂから位置情報に対応するセル周波数を調査するので、全受信可能チャンネルを総当りでサーチしなくとも済む。従って、ＴＶ１０１では、チャンネルスキャンの実行にかかる時間を短縮させることができる。
【００３６】
図６は、本発明の実施形態であるディジタルテレビジョンの制御部が初期設定後の通常時に行うフローチャートである。この動作は、図５に示す初期設定完了後に、制御部２がバックグラウンドで常時行う動作である。
【００３７】
例えばＴＶ１０１の電源がオンされると、制御部２は、制御データメモリ１４に保存したセルＩＤを参照して、同じセルＩＤのセル周波数をセル周波数リンク記述子２４Ｂから調査する（Ｓ１０１）。
制御部２は、セル周波数リンク記述子２４Ｂのセル周波数に変更があるかどうか監視する（Ｓ１０２）。
【００３８】
そして、セル周波数リンク記述子２４Ｂのセル周波数に変更があった時、即ちセル周波数リンク記述子２４Ｂが最新の情報に更新された時、制御部２は、チャンネル選択キーに対するチャンネルの割振りを修正する（Ｓ１０３）。例えば、保存しているセルＩＤと同じセルＩＤのセル周波数が、５６９ＭＨｚ、４７９ＭＨｚ、４９１ＭＨｚ、５８７ＭＨｚ、及び５７５ＭＨｚに更新されていれば、制御部２は、２９ＣＨ、１４ＣＨ、１６ＣＨ、３２ＣＨ及び３０ＣＨをチャンネル選択キーに割振る。これにより、ユーザは、いずれか１つのチャンネル選択キーを操作することで、所望のチャンネル（例えば１４ＣＨ）を選択できる。
最後に、制御部２は、Ｓ１０１に戻り、処理を継続する。
【００３９】
以上より、ＴＶ１０１では、セル周波数が変更された場合にも即対応可能である。さらに、その対応時においても全受信可能チャンネルを総当りでサーチしなくとも済むので、チャンネルスキャンの実行にかかる時間を短縮させることができる。
【図面の簡単な説明】
【００４０】
【図１】本発明の実施形態であるディジタルテレビジョンの主要な構成を示すブロック図
【図２】セルリスト記述子に記述されている情報を示す図
【図３】セル周波数リンク記述子に記述されている情報を示す図
【図４】ディジタルテレビジョン１０１の設置位置と各地域の基地局との関係の一例を示す図
【図５】本発明の実施形態であるディジタルテレビジョンの制御部が初期設定時に行うフローチャート
【図６】本発明の実施形態であるディジタルテレビジョンの制御部が初期設定後の通常時に行うフローチャート
【符号の説明】
【００４１】
２−制御部
３−チューナ
４−復調部
５−デコーダ
６−画像合成部
９−表示部
１０−スピーカ
１１−操作部
１１Ａ−受光部
１４−制御データメモリ
１５−ＲＯＭ
２４Ａ−セルリスト記述子
２４Ｂ−セル周波数リンク記述子
３０−アンテナ
５０Ａ〜Ｄ−基地局
５１Ａ〜Ｄ−地域
１００−家
１０１−ディジタルテレビジョン
２００−リモコン
【図１】
2009147804.tif 000003
【図２】
2009147804.tif 000004
【図３】
2009147804.tif 000005
【図４】
2009147804.tif 000006
【図５】
2009147804.tif 000007
【図６】
2009147804.tif 000008